(57)【要約】      （修正有）【課題】引張糸の一端部に一定の張力が付与された状態で引張糸の他端部をカテーテル本体に簡単な作業で保持することができ、かつ、保持した状態を目視で容易に確認することができるカテーテルを提供する。【解決手段】カテーテル１は、カテーテル本体３、被覆管５、アダプタ７、引張糸９および緊締部材１１を備える。引張糸９の一端部はカテーテル本体３の近位部３ａの先端部に結着され、引張糸９の他端部は緊締部材１１に結着されている。引張糸９が引っ張られてその一端部に一定の張力が付与されることでカテーテル本体３の近位部３ａにループが形成される。一端部に一定の張力が付与された状態の引張糸９の他端部が被覆管５の外周部に巻き付けられ、その巻き付けられた引張糸９の他端部を外側から囲繞するように緊締部材１１が嵌合されることで被覆管５の外周部に引張糸９が緊締される。【選択図】図１
0003218131.tif 000002
【実用新案登録請求の範囲】
【請求項１】
臓器内に留置可能な近位部と、該近位部に連なる中継部と、該中継部を介して前記近位部と連通する遠位部とを有する中空の管からなるカテーテル本体と、
前記カテーテル本体の遠位部の外周部に嵌合された弾性部材からなる被覆管と、
長手方向の一端部が前記近位部の先端部に結着され、前記長手方向の一端部と他端部との間の中間部が前記中継部内に挿通され、前記長手方向の他端部が、前記カテーテル本体の遠位部と前記被覆管とに亘って穿設された貫通孔に挿通されて前記遠位部内から外部に延設された可撓性を有する引張糸と、
軸芯に沿う方向に切り欠かれて切欠部が形成され、該軸芯に直交する横断面の形状がＣ字状に形成された弾性部材からなる緊締部材とを備え、
前記引張糸の他端部が引っ張られて前記引張糸の一端部に一定の張力が付与されることで前記近位部に引掛部が形成され、
一端部に前記一定の張力が付与された状態の前記引張糸の他端部が前記被覆管の外周部に巻き付けられ、その巻き付けられた前記引張糸の他端部を外側から囲繞するように前記緊締部材が嵌合されることで前記被覆管の外周部に前記引張糸が緊締されるように構成されたカテーテル。
【請求項２】
請求項１に記載のカテーテルにおいて、
前記引張糸の他端部は、前記緊締部材に結着されていることを特徴とするカテーテル。
【請求項３】
請求項１または請求項２に記載のカテーテルにおいて、
前記引張糸の一端部に一定の張力が付与されて前記近位部にループが形成されることで前記近位部に前記引掛部が形成されることを特徴とするカテーテル。
【考案の詳細な説明】
【技術分野】
【０００１】
本考案は、臓器内に留置可能な近位部と、該近位部に連なる中継部を介して近位部と連通する遠位部とを有するカテーテル本体を備えたカテーテルに関するものである。
【背景技術】
【０００２】
膀胱等の臓器内の液体を排液するカテーテルとしては、特許文献１に示されているものがある。このカテーテルは、管状のカテーテル本体、引張糸、雌型ルアーコネクタ、雄型ルアーコネクタおよびこれらのルアーコネクタの間に組み込まれるグロメットを備えている。カテーテル本体は、臓器内に留置される近位部と、該近位部に連なる中継部を介して近位部と連通する遠位部とを備え、遠位部には雌型ルアーコネクタが結着されている。引張糸は、その一端部がカテーテル本体の近位部に結着され、一端部と他端部との間の中間部がカテーテル本体の中継部内に挿通され、他端部が遠位部の開口から外部に延設されている。その延設された引張糸の他端部は、雌型ルアーコネクタ、雄型ルアーコネクタおよびグロメットのそれぞれの挿通孔に挿通されている。
【０００３】
引張糸の他端部が引っ張られて引張糸の一端部に一定の張力が付与されることでカテーテル本体の近位部がループ状に屈曲され、屈曲された状態を維持するために、雌型ルアーコネクタと雄型ルアーコネクタとグロメットとで引張糸の他端部が挟持されている。具体的には、雌型ルアーコネクタの雄ねじ部に雄型ルアーコネクタの雌ねじ部を螺着することで両ルアーコネクタ間でグロメットが圧縮され、グロメットの挿通孔に挿通された引張糸の他端部が、圧縮されたグロメットによって強固に挟持される。これにより、引張糸の一端部に一定の張力が常に付与されてカテーテル本体の近位部はループ状に屈曲された状態が維持されるため、臓器内に留置された近位部が不所望に臓器から抜け出ることが防止される。
【先行技術文献】
【特許文献】
【０００４】
【特許文献１】特許第４７４１７７４号公報
【考案の概要】
【考案が解決しようとする課題】
【０００５】
しかしながら、特許文献１に示されたカテーテルは、引張糸の一端部に一定の張力を付与してカテーテル本体の近位部をループ状に屈曲した状態に維持するために、引張糸の他端部をグロメットで強固に挟持すべくグロメットを強く圧縮する必要がある。このため、雌型ルアーコネクタに雄型ルアーコネクタを強固に捩じ込む必要があり、この作業が面倒であった。また、雌型ルアーコネクタに雄型ルアーコネクタを捩じ込んだ後、適正に捩じ込まれたか否かを目視で確認することも困難であった。
本考案は、このような問題を解消するためになされたもので、引張糸の一端部に一定の張力が付与された状態で引張糸の他端部をカテーテル本体に簡単な作業で保持することができ、かつ、保持した状態を目視で容易に確認することができるカテーテルを提供することを目的とする。
【課題を解決するための手段】
【０００６】
この目的を達成するために、本考案に係るカテーテルは、臓器内に留置可能な近位部と、該近位部に連なる中継部と、該中継部を介して前記近位部と連通する遠位部とを有する中空の管からなるカテーテル本体と、前記カテーテル本体の遠位部の外周部に嵌合された弾性部材からなる被覆管と、長手方向の一端部が前記近位部の先端部に結着され、前記長手方向の一端部と他端部との間の中間部が前記中継部内に挿通され、前記長手方向の他端部が、前記カテーテル本体の遠位部と前記被覆管とに亘って穿設された貫通孔に挿通されて前記遠位部内から外部に延設された可撓性を有する引張糸と、軸芯に沿う方向に切り欠かれて切欠部が形成され、該軸芯に直交する横断面の形状がＣ字状に形成された弾性部材からなる緊締部材とを備え、前記引張糸の他端部が引っ張られて前記引張糸の一端部に一定の張力が付与されることで前記近位部に引掛部が形成され、一端部に前記一定の張力が付与された状態の前記引張糸の他端部が前記被覆管の外周部に巻き付けられ、その巻き付けられた前記引張糸の他端部を外側から囲繞するように前記緊締部材が嵌合されることで前記被覆管の外周部に前記引張糸が緊締されるように構成されたものである。
【０００７】
請求項２に記載した考案に係るカテーテルは、請求項１に記載のカテーテルにおいて、前記引張糸の他端部は、前記緊締部材に結着されていることを特徴とするものである。
請求項３に記載した考案に係るカテーテルは、請求項１または請求項２に記載のカテーテルにおいて、前記引張糸の一端部に一定の張力が付与されて前記近位部にループが形成されることで前記近位部に前記引掛部が形成されることを特徴とするものである。
【考案の効果】
【０００８】
本考案によれば、一端部に一定の張力が付与された状態の引張糸の他端部を被覆管の外周部に巻き付け、その巻き付けた引張糸の他端部を外側から囲繞するように、Ｃ字状横断面の緊締部材を嵌合することで被覆管の外周部に引張糸が緊締されるように構成されている。このため、引張糸の一端部に一定の張力を付与した状態で引張糸の他端部をカテーテル本体に簡単な作業で保持することができるだけでなく、保持した状態を目視で容易に確認することができる。
請求項２に記載の考案によれば、引張糸の他端部は緊締部材に結着されているので、緊締部材を紛失する虞がなく、緊締部材を手で把持して引っ張ることにより引張糸の他端部を容易に引っ張ることができる。
請求項３に記載の考案によれば、引張糸の一端部に一定の張力が付与されて近位部にループが形成されることで近位部に引掛部が形成されるので、単純な構成で近位部に引掛部を形成することができる。
【図面の簡単な説明】
【０００９】
【図１】本考案の実施の形態に係るカテーテルを示した図である。
【図２】（Ａ）図は同カテーテルを破断して拡大した状態を示した縦断面図であり、（Ｂ）図は（Ａ）図の一部をさらに拡大して示した図であり、（Ｃ）図は同カテーテルの構成部材である緊締部材を拡大して示した図であり、（Ｄ）図は（Ｃ）図の矢視Ａ−Ａ線に沿う断面を示した図である。
【図３】図（Ａ）ないし図（Ｃ）は、同カテーテルを体内に留置する際の作業手順の前半を説明するための図である。
【図４】図（Ｄ）ないし図（Ｆ）は、同カテーテルを体内に留置する際の作業手順の後半を説明するための図である。
【図５】図（Ａ）は本考案の実施の形態に係るカテーテルのカテーテル本体の一部を変更した変形例に係るカテーテルを示した図であり、図（Ｂ）はそのカテーテルの一部を拡大して示した図であり、（Ｃ）図は図（Ｂ）の矢視Ｂ−Ｂ線に沿う断面を拡大して示した図である。
【図６】図（Ａ）は同変形例に係るカテーテルの近位部に引掛部を形成した状態のカテーテル本体の一部を拡大して示した図であり、図（Ｂ）は図（Ａ）の矢視Ｃに沿う方向から見た状態を示した図である。
【考案を実施するための形態】
【００１０】
以下、本考案に係る実施の形態を図１ないし図４を参照して詳細に説明する。図１において符号１で示すものは、本実施の形態に係るカテーテルの一例である。このカテーテル１は、犬および猫等の動物や人間の尿管が泌尿器系疾患等により閉塞または尿管障害を起こした際に、腎臓または膀胱等の臓器内に存在する尿等の液体を外部に排出したり、検査のために臓器内の液体を採取したり、臓器内に薬剤を注入したり、あるいは、臓器内の圧力を計測するために供されるものである。
なお、作図の都合上、図１ないし図４では、長尺な部材については、その長手方向中途部を省略して示している。
【００１１】
カテーテル１は、中空の管からなるカテーテル本体３，被覆管５，アダプタ７，引張糸９および緊締部材１１を備えている。引張糸９は可撓性を有する部材からなり、例えば、施術用として使用されている医療機器の１つである縫合糸を引張糸９として使用することができる。引張糸９の材質としては、例えば、ポリエステル、ポリプロピレン、ナイロン６またはナイロン６６等を挙げることができる。
カテーテル本体３の長手方向の部位としては、腎臓または膀胱等の臓器内に留置可能な近位部３ａと、該近位部３ａに連なる中継部３ｂと、該中継部３ｂを介して近位部３ａと連通する遠位部３ｃとを有する。カテーテル本体３の構成部材としては、長尺な円管状の主管１３と、該主管１３の先端に結着された連結部材１５（図２の図（Ｂ）参照）と、該主管１３の後端部の外周部に一端部が嵌合された円管状の継ぎ足し管１７とを有する。継ぎ足し管１７の他端部は、後述するアダプタ７の第一筒部７ａの内周部に嵌入されている。
【００１２】
引張糸９の長手方向の一端部９ａにおける末端部は近位部３ａの先端部の連結部材１５に結着されている。主管１３の先端と連結部材１５とは、接着剤または溶剤が塗布されて液密に結着されている。なお、主管１３の先端と連結部材１５との結着する部位を加熱して溶着してもよいし、連結部材１５を省略して主管１３の先端を加熱して融解することで連結部材１５に相当する部分を形成し、該部分に引張糸９の一端部９ａの末端部を埋設して結着するようにしてもよい。
アダプタ７は、樹脂製の部材からなり、円筒状の第一筒部７ａと、該第一筒部７ａに連なり該第一筒部７ａの軸芯と同軸に延びる円筒状の第二筒部７ｂとを備えている。第二筒部７ｂにおける第一筒部７ａとは反対側の端部の外周面には、キャップ１９を着脱可能に螺着するための一対の凸部２１，２１が、第二筒部７ｂの軸芯回りの角度位置が１８０度ずれた位置に形成されている。アダプタ７の一対の凸部２１，２１にキャップ１９を螺着することで第二筒部７ｂの開口が液密に閉塞される。
【００１３】
第一筒部７ａ内は、第二筒部７ｂ内と連通しており、第二筒部７ｂとの接続部の内周部は、それ以外の部分の内周部より小さな内径寸法に形成されている。第二筒部７ｂの内径および外径は、第一筒部７ａの内径および外径よりそれぞれ大きな寸法に形成されている。主管１３の外周部と継ぎ足し管１７の内周部との結着部分およびアダプタ７の第一筒部７ａの内周部と継ぎ足し管１７の外周部との結着部分は、接着剤または溶剤がそれぞれ塗布されて液密に結着されている。これにより、主管１３の外径に比べてアダプタ７の第一筒部７ａの内径の方が大きいけれども、継ぎ足し管１７を介して主管１３と第一筒部７ａとが好適に接続される。また、第一筒部７ａ近傍の主管１３の部位が継ぎ足し管１７により被覆されるため、その分、主管１３の第一筒部７ａ近傍の部分は剛性が高くなるので、該部分が意図しない外力により屈曲して主管１３内の通路が閉塞する虞はない。なお、本実施の形態では、主管１３の後端部は、被覆管５の長手方向の一端部に嵌入されているが、これに限らず、継ぎ足し管１７の他端またはその近傍まで嵌入されてもよい。
【００１４】
継ぎ足し管１７の外周部には被覆管５の一端部が液密に嵌合され、被覆管５の他端部が第一筒部７ａの外周部に液密に嵌合されている。被覆管５は、可撓性および弾性を有する部材からなり、その材質としては、例えば、シリコンゴム等の樹脂を挙げることができる。
カテーテル本体３の中継部３ｂの長手方向中途部には、３つのマーカー２５…が互いに離間した位置に設けられている。カテーテル本体３の近位部３ａの長手方向中途部は円弧状に屈曲形成されており、その屈曲部の円弧状の内周面を中央に含む近位部３ａの長手方向の一定の領域に亘り所定の間隔を隔てて５個の側孔２７ａないし２７ｅ（図２の図（Ｂ）参照）が穿設されている。
【００１５】
カテーテル本体３の連結部材１５に一端部９ａが結着された引張糸９は、その結着された部位から側孔２７ａ（５個の側孔２７ａないし２７ｅのうち、近位部３ａの長手方向において連結部材１５に最も近い側孔）を通り抜けて近位部３ａ内から外部に延設され、さらに、側孔２７ｅ（５個の側孔２７ａないし２７ｅのうち、近位部３ａの長手方向において連結部材１５から最も離間した側孔）を通り抜けて近位部３ａ内に挿通されている。その近位部３ａ内に挿通された引張糸９は、カテーテル本体３の中継部３ｂ内を通過して遠位部３ｃの継ぎ足し管１７内まで延び、該継ぎ足し管１７の長手方向中途部において、継ぎ足し管１７と被覆管５とに亘って穿設された貫通孔に挿通されて遠位部３ｃ内から外部に延設されている。
【００１６】
なお、引張糸９が挿通された継ぎ足し管１７の貫通孔と引張糸９の外周部との間から継ぎ足し管１７と被覆管５との間に継ぎ足し管１７内の液体が漏洩しようとしても、被覆管５の弾性によって液密にシールされるので漏洩することはない。また、引張糸９が挿通された被覆管５の貫通孔と引張糸９の外周部との間も、被覆管５の弾性によって液密にシールされるので漏洩することはない。
遠位部３ｃ内から外部に延設された引張糸９の他端部９ｂは、緊締部材１１の長手方向端部に穿設された挿通孔１１ａ（図２の図（Ｃ）参照）に挿通されて結び付けられることで緊締部材１１に結着されている。
【００１７】
前記カテーテル本体３の主管１３および継ぎ足し管１７は、可撓性および弾性を有する部材からなり、それらの材質としては、例えば、ポリウレタン等の樹脂を挙げることができる。
緊締部材１１は、その軸芯Ｏに沿う方向に切り欠かれて切欠部１１ｂが形成され、該軸芯Ｏに直交する横断面の形状がＣ字状に形成された弾性部材からなり、その材質としては、例えば、ナイロン、ポリカーボネート、ポリプロピレンまたは高密度ポリエチレン等の合成樹脂を挙げることができる。
【００１８】
＜カテーテル１を留置する作業手順＞
次に、尿管が泌尿器系疾患等により閉塞または尿管障害を起こした犬および猫等の動物や人間の体内に、上述したカテーテル１を留置して腎臓または膀胱等の臓器内から尿等の液体を排出するために行う外科的治療の作業手順の一例について図３および図４も参照して詳細に説明する。
【００１９】
まず、筒状のシース内に挿入され先端部がシースの先端から露出した状態の注射針をシースと共に体表面Ｂから臓器Ｋに穿刺する。次に、シースの先端部が臓器Ｋに穿刺された状態でシース内から注射針を抜き出したのち、キャップ１９が螺着されてアダプタ７が密栓された状態のカテーテル本体３の近位部３ａをその円弧状に屈曲形成された部分を略真っ直ぐな状態に手で矯正しながら、前記シースの後端からシース内に挿入する。このとき、カテーテル本体３の近位部３ａ全体が臓器Ｋ内に到達するまでカテーテル１をシース内に挿入する。近位部３ａ全体が臓器Ｋ内に到達したか否かは、体表面Ｂへの穿刺位置とカテーテル本体３のマーカー２５との相対的な位置関係に基づいて判断する。なお、このような判断手法に替えて、超音波を利用して取得した体内の超音波像をモニター画面上に表示させ、その画像中に写し出された近位部３ａと臓器Ｋの外形との相対的な位置関係から判断するようにしてもよい。
【００２０】
カテーテル本体３の近位部３ａ全体が臓器Ｋ内に位置付けられたら、体表面Ｂの穿刺口からシースを引き出したのち、シースの長手方向に沿って予め切り込まれた切れ目に沿ってシースを２つに分断してカテーテル１からシースを離脱させる。これにより、カテーテル本体３の近位部３ａは、該近位部３ａ自体の弾性で元の円弧状に復元すると共に各側孔２７ａ，２７ｅから近位部３ａの外部に露出した引張糸９の一部に弛み部９ｃが形成される。このときの状態を図３の図（Ａ）は示している。
【００２１】
次に、カテーテル１を体内に留置した状態で、緊締部材１１が結着された引張糸９の他端部９ｂを引っ張って引張糸９の一端部９ａに一定の張力を付与すると、引張糸９の弛み部９ｃがカテーテル本体３の近位部３ａの側孔２７ｅから近位部３ａ内に入り込むと共に側孔２７ａと側孔２７ｅとが接近させられる。これにより、図３の図（Ｂ）に示すように、カテーテル本体３の近位部３ａの長手方向中途部にループ２９が形成され、該ループ２９によって臓器Ｋ内から近位部３ａが抜け出ることが防止される。よって、ループ２９は、本発明でいう「引掛部」を構成する。
【００２２】
次に、図３の図（Ｃ）に示すように、一端部に一定の張力を付与した状態の引張糸９の他端部９ｂを被覆管５の外周部に巻き付けたのち、その巻き付けた引張糸９の他端部９ｂを外側から囲繞するように緊締部材１１を嵌合する（図４の図（Ｄ）参照）。これにより、引張糸９は、被覆管５の外周部に緊締部材１１によりしっかり緊締されるため、被覆管５の外周部に巻き付けられた状態で弛むことなく挟持される。なお、カテーテル１が体内に留置されているときに体が動くことで、カテーテル本体３の近位部３ａと遠位部３ｃとが相対的に変位した場合でも、それを吸収することができるように近位部３ａと遠位部３ｃとの間には弛みを持たせておく。これにより、カテーテル本体３の近位部３ａが不所望に引っ張られることはない。
最後に、カテーテル１の体表面Ｂへの穿刺口の周囲に消毒剤を塗布して消毒したのち、穿刺口を被覆するように絆創膏を貼付すると共にカテーテル本体３の後端部が不所望に体表面Ｂに対して相対変位しないようにカテーテル本体３の後端部を医療用バンテージにより体表面Ｂの皮膚に固定する。以上で、カテーテル１を体内に留置する作業を終了する。
【００２３】
カテーテル１を使用して臓器Ｋ内から体外に尿等の液体を排出する場合は、アダプタ７からキャップ１９を取り外して、アダプタ７の第二筒部７ｂに吸引装置（図示せず）を接続し、該吸引装置により吸引することでカテーテル本体３の各側孔２７ａないし２７ｅを介して臓器Ｋ内の尿等の液体を排出する。また、吸引装置により吸引した液体を検査することもできる。また、アダプタ７の第二筒部７ｂに圧力計測装置（図示せず）を接続することで、カテーテル本体３の各側孔２７ａないし２７ｅを介して臓器Ｋ内の圧力を計測することもできる。
一方、カテーテル１を使用して臓器Ｋ内に薬剤を注入する場合は、薬剤が充填された注射器または点滴セット等の薬剤供給機器（図示せず）をアダプタ７の第二筒部７ｂに接続し、カテーテル本体３の各側孔２７ａないし２７ｅを介して該薬剤供給機器により臓器Ｋ内に薬剤を注入する。
【００２４】
また、体内に留置したカテーテル１を体内から完全に取り外す場合は、被覆管５の外周部から緊締部材１１を取り外したのち、図４の図（Ｅ）に示すように、被覆管５から外部に露出している引張糸９の被覆管５近傍の部位を鋏Ｓの動刃と静刃との間に位置付けた状態で、緊締部材１１が結着された引張糸９の他端部９ｂを強く引っ張る。すると、引張糸９の他端部９ｂがさらに被覆管５から外部に引っ張り出されてカテーテル本体３の長手方向中途部が波状に屈曲する。この状態で、外部に露出している引張糸９の被覆管５近傍の部位を鋏Ｓにより切断すると、引張糸９に付与されていた張力により引張糸９の他端部９ｂが引っ張られてカテーテル本体３内に引き吊り込まれる。
【００２５】
これにより、引張糸９の一端部９ａに付与されていた張力が解放されて、カテーテル本体３の近位部３ａの長手方向中途部は、近位部３ａ自体の弾性でループ２９の状態から元の円弧状に復元すると共に引張糸９の一端部９ａには張力が全く付与されない状態となる（図４の図（Ｆ）参照）。このような状態で、カテーテル１の後端部を引っ張ることで、カテーテル本体３の近位部３ａは、臓器Ｋ内から臓器Ｋ外に引っ張り出される際に臓器Ｋの穿刺口を通過するときに、略真っ直ぐな状態に容易に矯正されながら臓器Ｋ内から抵抗なく取り出される。取り出された後、カテーテル１が挿入されていた体表面Ｂの穿刺口の周囲に消毒剤を塗布して消毒したのち、穿刺口を被覆するように絆創膏を貼付すれば、カテーテル１の取り外し作業は終了する。
【００２６】
上述したような本考案の実施の形態に係るカテーテル１によれば、一端部９ａに一定の張力が付与された状態の引張糸９の他端部９ｂを被覆管５の外周部に巻き付け、その巻き付けた引張糸９の他端部９ｂを外側から囲繞するように、Ｃ字状横断面の緊締部材１１を嵌合することで被覆管５の外周部に引張糸９が緊締されるように構成されている。このため、引張糸９の一端部９ａに一定の張力を付与した状態で引張糸９の他端部９ｂをカテーテル本体３に簡単な作業で保持することができるだけでなく、保持した状態を目視で容易に確認することができる。
【００２７】
また、引張糸９の他端部９ｂは緊締部材１１に結着されているので、緊締部材１１を紛失する虞がなく、緊締部材１１を手で把持して引っ張ることにより引張糸９の他端部９ｂを容易に引っ張ることができる。
さらにまた、引張糸９の一端部９ａに一定の張力が付与されてカテーテル本体３の近位部３ａにループ２９が形成されることで近位部３ａに引掛部が形成されるので、単純な構成で近位部３ａに引掛部を形成することができる。
【００２８】
上述した実施の形態は本考案を説明するための一例であり、本考案は、前記の実施の形態に限定されるものではなく、実用新案登録請求の範囲と明細書との全体から読み取れる考案の要旨または思想に反しない範囲で適宜変更可能であり、そのような変更後のカテーテルもまた、本考案の技術的範囲に含まれるものである。
例えば、上述した実施の形態に係るカテーテル１では、緊締部材１１が結着された引張糸９の他端部９ｂを引っ張って引張糸９の一端部９ａに一定の張力を付与することで、カテーテル本体３の近位部３ａの長手方向中途部にループ２９を形成し、該ループ２９によって臓器Ｋ内から近位部３ａが抜け出ないようにしている。
【００２９】
しかし、これに替えて、図５の図（Ａ）に示すようなカテーテル１'であってもよい。該カテーテル１'は、そのカテーテル本体３の近位部３ａにおける長手方向中途部（連結部材１５寄りの部位）にその長手方向に沿って延びる切り込み３１が近位部３ａの軸芯回りに等角度（９０度）間隔で４箇所形成されている（図５の図（Ｂ）および図（Ｃ）参照）。緊締部材１１が結着された引張糸９の他端部９ｂを引っ張って引張糸９の一端部９ａに一定の張力を付与すると、図６の図（Ａ）および図（Ｂ）に示すように、各切り込み３１が開いて４つの開口３３…が形成されると共にカテーテル本体３の近位部３ａの軸芯を中心に放射状に４つの突状部３５…が形成される。これらの突状部３５よって臓器Ｋ内から近位部３ａが抜け出ることが防止される。よって、突状部３５は、本発明でいう「引掛部」を構成する。また、この変形例に係るカテーテル１'の場合は、上述した臓器Ｋ内の液体の排出、臓器Ｋ内への薬剤の注入および臓器Ｋ内の圧力の計測は、カテーテル本体３の近位部３ａに形成された各開口３３を介して行われる。
【符号の説明】
【００３０】
１    カテーテル
１' カテーテル
３    カテーテル本体
３ａ  近位部
３ｂ  中継部
３ｃ  遠位部
５    被覆管
９    引張糸
９ａ  引張糸の一端部
９ｂ  引張糸の他端部
１１    緊締部材
１１ａ  切欠部
２９    ループ（引掛部）
３５    突状部（引掛部）
Ｋ    臓器
Ｏ    緊締部材の軸芯
【図１】
0003218131.tif 000003
【図２】
0003218131.tif 000004
【図３】
0003218131.tif 000005
【図４】
0003218131.tif 000006
【図５】
0003218131.tif 000007
【図６】
0003218131.tif 000008